【事件の表示】
　平成３年特許願第１６２０２９号「パチンコ機」拒絶査定に対する審判事件［平成４年１２月１５日出願公開、特開平４−３６１７７１］について、次のとおり審決する。
【結　論】
　本件審判の請求は、成り立たない。
【理　由】
１．手続の経緯・本願発明
　本願は、平成３年６月５日の出願であって、その請求項１に係る発明（以下、「本願発明」という。）は、平成１４年１０月１６日に提出された手続補正書の特許請求の範囲の請求項１に記載された以下のとおりのものである。
「遊技盤面に配置された始動口と、該始動口の上方に配置された表示装置と、該表示装置に設けられ前記始動口への遊技球の入賞によって図柄を変動させて表示する表示体とを備え、大当たりの場合に前記表示体に大当たり図柄を表示し特定の入賞口が開放されるパチンコ機であって、
　前記表示装置には、前記表示体の側方に配置され上方に開口する通過口と、前記始動口の上に配置され遊技盤面の前方側が開放されて遊技球を前記始動口の方向へ放出する球放出部と、前方が開放され後端に前記表示体が配置された空間部とが設けられ、前記球放出部は前記空間部において前記表示体と略同一空間に配置され、且つ遊技球が左右方向に自在に転動可能な構成であり、
　前記通過口から受入れて前記表示体の下方へ転動した遊技球は、前記球放出部から前記始動口の方向へ放出される前にこの球放出部において左右方向に自在に転動可能に構成されていることを特徴とするパチンコ機。」
　
２．引用例記載の発明
　当審における拒絶の理由に引用された特開平３−４５２８０号公報（以下、引用例という。）には、以下の記載が認められる。
（１-a）「本発明の目的は、表示機能の他に別の付加価値を備えさせるようにして遊技者の興味を引くような新規なパチンコ機の表示装置を提供することである。」（１頁下段右欄１６〜１９行）、
（１-b）「表示装置１は、遊技盤の表面に取付けられる取付基板10を有する。取付基板10は、・・・その両側部には打球が飛び込み可能な球受入部11，11，が形成され、中央部には大きな開口窓が形成される。」（２頁右上欄５〜１０行）、
（１-c）「取付基板10の裏面上部には、球受入部11，11に連通する球通路15が設けられ、中央部には箱枠16が設けられている。箱枠16は、開口窓に連通する凹室17を有し、その凹室17内にはほぼ中央位置に球振分板18が設けられていて上側空間部171と下側空間部172とに区分されている。」（２頁右上欄１５〜２０行）、
（１-d）「尚、前記上側空間部171の開口窓部分は透明板12によって塞がれている。」（２頁左下欄３〜４行）、
（１-e）「前記上側空間部171の上部には球通路15によって導かれてくる打球が落下する導入口19が形成されていると共に、その奥部に可変表示部20が設けられている。」（２頁左下欄５〜８行）、
（１-f）「前記下側空間部172の底部は凹室17の奥部から前方に向って緩るく下り傾斜し、その傾斜下端が開口窓の下側辺に一致している。このため、上側空間部171から落下する打球はその底部を前方へ向けて転がって遊技盤上に落下する。」（２頁左下欄１２〜１６行）、
（１-g）「前記表示装置１は、・・・遊技部のほぼ中央部に配置されており、その下方には表示装置１の可変表示部20の表示状態を変化開始させるための始動入賞口４と、一対の開閉片5a，5aを有する変動入賞装置６及び複数の普通入賞口７が配設されている。」（２頁左下欄１８行〜同頁右下欄４行）、
（１-h）「また打球が始動入賞口４に入賞すると、表示装置１の可変表示部20の表示が変動を開始し、・・・その停止時における表示の組合わせで前記変動入賞装置６の開閉片5a,5aを所定時間又は所定回数連続して開成させる所謂遊技者に有利な特定遊技状態に変化させるように電気的制御される。」（２頁右下欄１０〜１６行）、
（１-i）「第６図を参照しながら表示装置１の作用について説明する。打球が球受入部11，11に入ると、その打球は球通路15を流下して導入口19から凹室17の上側空間部171へ導かれ、球振分板18の受部18aに落下する。そして、・・・球落下孔18bのいづれかから下側空間部172の底部上に落下する。・・・そして、底部に落下した打球は前方に転がり再び遊技盤２上へ落下するもので、下側空間部172の中央から遊技盤２上へ落下する打球は始動入賞口４へ高い確率で入賞することができ、反対に左右両側から落下する打球は始動入賞口４への入賞が非常に困難になる。」（３頁左上欄７行〜同頁右上欄５行）、
（１-j）「〔発明の効果〕
　以上のように、本発明によれば可変表示部と打球が転動して遊技の興趣を高める打球転動空間部とを一体的に備えているので、パチンコ機の表示装置としては全く新規かつ斬新で他に類を見ない非常に面白いものとなり、遊技者の興味を大いに引くことができる。」（３頁右上欄６〜１２行）。
（１-k）第１図には、取付基板10の前方が開口する球受入部11，11，が形成されていることが示されている。
　上記記載及び図面の記載によると、引用例には、
　遊技盤面に配置された始動入賞口4と、該始動入賞口4の上方に配置された表示装置１と、該表示装置1に設けられ前記始動入賞口4への遊技球の入賞によって図柄を変動させて表示する可変表示部20とを備え、可変表示部20の停止時における表示の組合わせで変動入賞装置６の開閉片5a，5aを所定時間又は所定回数連続して開成させるパチンコ機であって、
　前記表示装置１の取付基板10は、その両側部に打球が飛び込み可能な、前方に開口する球受入部11，11が形成され（上記（１-b）（１-k）参照）、
取付基板10の裏面上部には、球受入部11，11に連通する球通路15が設けられ、中央部には箱枠16が設けられ、箱枠16は、開口窓に連通する凹室17を有し、その凹室17内にはほぼ中央位置に球振分板18が設けられていて上側空間部171と下側空間部172とに区分されており（上記（１-c）参照）、
前記下側空間部172の底部は凹室17の奥部から前方に向って緩るく下り傾斜し、その傾斜下端が開口窓の下側辺に一致しており（上記（１-f）参照）、
前記上側空間部171の開口窓部分は透明板12によって塞がれていており、奥部に可変表示部20が設けられており（上記（１-d）（１-e）参照）、
前記球受入部11，11から入った打球は凹室17の上側空間部171へ導かれ、球振分板18の受部18aに落下し、その皿状の受部18aの内周壁に沿って旋回しながら除々に勢力を弱めつつ中央部分に寄せられて球落下孔18bから下側空間部172の底部上に落下し、底部に落下した打球は前方に転がり再び遊技盤２上へと落下する（上記（１-i）参照）パチンコ機（以下、「引用発明」という。）が記載されていると認められる。
　
３．対比・判断
　本願発明と引用発明とを比較すると、引用発明における「始動入賞口４」が本願発明における「始動口」に対応し、同様に、「表示装置１」が「表示装置」に、「可変表示部20」が「表示体」に、「変動入賞装置６」が「特定の入賞口」に、「球受入部11」が「通過口」に、「凹室17」が「空間部」に対応し、また、引用発明における「下側空間部172の底部」は、幅広に構成されており、左右方向に自在に転動可能な放出部といえる。
　そうすると、本願発明と引用発明とは、
　遊技盤面に配置された始動口と、該始動口の上方に配置された表示装置と、該表示装置に設けられ前記始動口への遊技球の入賞によって図柄を変動させて表示する表示体とを備え、大当たりの場合に前記表示体に大当たり図柄を表示し特定の入賞口が開放されるパチンコ機であって、
　前記表示装置には、前記表示体の側方に配置された通過口と、前記始動口の上に配置され遊技盤面の前方側が開放されて遊技球を前記始動口の方向へ放出する球放出部と、後端に前記表示体が配置された空間部とが設けられ、前記球放出部は遊技球が左右方向に自在に転動可能な構成であり、
　前記通過口から受入れて前記表示体の下方へ転動した遊技球は、前記球放出部から前記始動口の方向へ放出される前にこの球放出部において左右方向に自在に転動可能に構成されているパチンコ機である点で一致し、次の点で構成が相違する。
　相違点（Ａ）
　通過口が、本願発明では、「上方に開口する」のに対し、引用発明では、前方に開口する点、
　相違点（Ｂ）
　本願発明では、「前方が開放され後端に前記表示体が配置された空間部とが設けられ、前記球放出部は前記空間部において前記表示体と略同一空間に配置され」ているのに対し、引用発明では、空間部（凹室17）が上側空間部171と下側空間部172とに区分されており、球放出部は下側空間部172に配置されており、表示体が配置された上側空間部171の開口窓部分は透明板12によって塞がれていている点。
　上記相違点について検討する。
　相違点（Ａ）について
　遊技球を空間部内に受け入れるのに、上方に開口する通過口から受け入れる構成にするか、前方に開口する通過口から受け入れる構成にするかは当業者が容易にできる設計事項に過ぎない。
　相違点（Ｂ）について
　引用発明は、空間部（凹室17）が上側空間部171と下側空間部172とに区分されていて、球受入部11から上側空間部171へ導かれた打球を、球振分板18の球落下孔18bから下側空間部172の底部上に落下するように構成している。
　しかしながら、引用発明において、空間部（凹室17）を区分しないで構成し、球受入部11から導かれた打球を空間部（凹室17）の底部上に落下するように構成することは当業者なら容易にできる程度の設計事項に過ぎないから、引用発明において、空間部（凹室17）を区分しないで構成して空間部（凹室17）の前方を開放し、球放出部と表示体とが略同一空間に配置されるようにし、相違点（Ｂ）における本願発明の構成とすることは当業者なら容易に想到できることである。
　そして、本願発明の効果は、引用例に記載された発明から当業者が予測できる程度のことであって格別顕著なものではない。
　
４．むすび
　以上のとおり、本願発明は、引用例に記載された発明及び周知技術に基づいて当業者が容易に発明をすることができたものであるから、特許法第２９条第２項の規定により特許を受けることができない。
　よって、結論のとおり審決する。